(57)【特許請求の範囲】
【請求項１】
面状光源を収容可能な凹状の収容部を備えるトレイであって、
前記収容部は、第１方向と前記第１方向と直交する第２方向に広がる底面を有し、
前記面状光源は、可撓性を有する基板と、前記基板上に固定され、前記第１方向に第１発光モジュールと第２発光モジュールとを含む複数の発光モジュールと、を備え、
前記第１発光モジュールは、前記第１方向において前記第１発光モジュールの中心部を挟む第１Ａ領域と第１Ｂ領域を有し、
前記第２発光モジュールは、前記第１方向において前記第２発光モジュールの中心部を挟む第２Ａ領域と第２Ｂ領域を有し、
前記第１方向において、前記収容部の底面は、第１底面と、前記第１底面を挟み、前記第１底面よりも高さが低い第２底面と、を有し、
前記第１底面は、前記第１発光モジュールが配置される部分であって、前記第１Ａ領域と前記第１Ｂ領域の下方に位置する前記基板の下面と対向される部分であり、
前記第２底面は、前記第１発光モジュールと隣り合う前記第２発光モジュールが配置される部分であって、前記第２Ａ領域と前記第２Ｂ領域の下方に位置する前記基板の下面と対向される部分であるトレイ。
【請求項２】
前記第１底面は、前記底面の中央に配置される請求項１に記載のトレイ。
連続と
【請求項３】
平面視において、前記第１方向と垂直な第２方向における前記第１底面の幅は、前記第１発光モジュールの幅よりも広い請求項１又は２に記載のトレイ。
【請求項４】
平面視において、前記第２方向における前記第１底面の幅は、前記面状光源の幅よりも広い請求項３に記載のトレイ。
【請求項５】
前記底面は、前記第１方向の幅が、前記第２方向の幅よりも広い請求項３又は４に記載のトレイ。
【請求項６】
前記第２方向において、前記第１底面及び前記第２底面が配列されている請求項３〜５のいずれか１つに記載のトレイ。
【請求項７】
前記収容部の底面が、前記第１底面及び前記第２底面を含む曲面である請求項１又は２に記載のトレイ。
【請求項８】
前記収容部の底面は、前記第１方向における曲率が前記第２方向における曲率よりも大きい請求項７記載のトレイ。
【請求項９】
前記収容部の底面は、第２方向における開口幅が前記発光モジュールの幅よりも狭い複数の凹部を有する、請求項１〜８のいずれか１つに記載のトレイ。
【請求項１０】
請求項１〜９のいずれか１つに記載のトレイの収容部に面状光源が収容された梱包体。
【発明の詳細な説明】
【技術分野】
【０００１】
本開示は、トレイ及び梱包体に関する。
【背景技術】
【０００２】
発光ダイオード等の発光素子を用いた発光装置は、液晶ディスプレイのバックライトやディスプレイ等の各種の光源として広く利用されている。このような発光装置としては、基板の上に複数の発光素子を載置した構造が提案されている。例えば下記の特許文献１は、基板の上に複数の導光板と、各導光板に光を入射する複数の発光素子と、を有する発光装置を開示している。
【先行技術文献】
【特許文献】
【０００３】
【特許文献１】特開２０１０−４０１９２号公報
【発明の概要】
【発明が解決しようとする課題】
【０００４】
近年、発光装置のさらなる薄型化が求められている。発光装置が薄型になるほど、撓み易くなる。本開示は、面状光源の反りを抑えて収容可能なトレイ及び梱包体を提供する。
【課題を解決するための手段】
【０００５】
本開示の一態様のトレイは、面状光源を収容可能な凹状の収容部を備えるトレイであって、前記収容部は、第１方向と前記第１方向と直交する第２方向に広がる底面を有し、前記面状光源は、可撓性を有する基板と、前記基板上に固定され、前記第１方向に第１発光モジュールと第２発光モジュールとを含む複数の発光モジュールと、を備え、前記第１発光モジュールは、前記第１方向において前記第１発光モジュールの中心部を挟む第１Ａ領域と第１Ｂ領域を有し、前記第２発光モジュールは、前記第１方向において前記第２発光モジュールの中心部を挟む第２Ａ領域と第２Ｂ領域を有し、前記第１方向において、前記収容部の底面は、第１底面と、前記第１底面を挟み、前記第１底面よりも高さが低い第２底面と、を有し、前記第１底面は、前記第１発光モジュールが配置される部分であって、前記第１Ａ領域と前記第１Ｂ領域の下方に位置する前記基板の下面と対向される部分であり、前記第２底面は、前記第１発光モジュールと隣り合う前記第２発光モジュールが配置される部分であって、前記第２Ａ領域と前記第２Ｂ領域の下方に位置する前記基板の下面と対向される部分である。
【発明の効果】
【０００６】
本開示によれば、面状光源の反りを抑えて収容可能なトレイ及び梱包体を提供することができる。
【図面の簡単な説明】
【０００７】
【図１】実施形態に係るトレイの概略上面図である。
【図２】実施形態に係るトレイの図１のＩＩ−ＩＩ線における概略断面図である。
【図３】実施形態に係るトレイの図１のＩＩＩ−ＩＩＩ線における概略断面図である。
【図４】実施形態に係るトレイに面状光源を収容する梱包体を示す概略上面図である。
【図５】収容部の底面を拡大して示す概略断面図である。
【図６Ａ】収容部における第１底面の例を示す概略平面図である。
【図６Ｂ】収容部における第１底面の他の例を示す概略平面図である。
【図７】収容部の底面を拡大して示す概略断面図である。
【図８】実施形態に係るトレイの概略上面図である。
【図９】図８のトレイを２枚重ねた状態を示す概略断面図である。
【図１０】他の実施形態に係るトレイの概略上面図である。
【図１１】実施形態に係る面状光源を示す概略部分断面図である。
【図１２】実施形態に係る発光モジュールを示す概略平面図である。
【図１３】実施形態に係る発光モジュールの図１２のＸＩＩＩ−ＸＩＩＩ線における概略断面図である。
【図１４Ａ】図１２に示す発光モジュールを導光板の上面とは反対側から見たときの例示的な外観を模式的に示す平面図である。
【図１４Ｂ】実施形態に係る発光モジュールを導光板の上面とは反対側から見たときの外観の他の例を示す模式的な平面図である。
【図１４Ｃ】図１４Ｂに示す配線層上に絶縁層を追加した例を示す模式的な平面図である。
【図１５】実施形態に係る光源の一例を示す概略断面図である。
【図１６】実施形態に係る面状光源を示す概略断面図である。
【発明を実施するための形態】
【０００８】
以下、図面に基づいて本発明を詳細に説明する。なお、以下の説明では、必要に応じて特定の方向や位置を示す用語（例えば、「上」、「下」、及びそれらの用語を含む別の用語）を用いるが、それらの用語の使用は図面を参照した発明の理解を容易にするためであって、それらの用語の意味によって本発明の技術的範囲が制限されるものではない。また、複数の図面に表れる同一符号の部分は同一もしくは同等の部分又は部材を示す。
【０００９】
さらに以下に示す実施形態は、本発明の技術思想を具体化するための発光モジュールを例示するものであって、本発明を以下に限定するものではない。また、以下に記載されている構成部品の寸法、材質、形状、その相対的配置等は、特定的な記載がない限り、本発明の範囲をそれのみに限定する趣旨ではなく、例示することを意図したものである。また、一の実施の形態、実施例において説明する内容は、他の実施の形態、実施例にも適用可能である。また、図面が示す部材の大きさや位置関係等は、説明を明確にするため、誇張していることがある。
【００１０】
図１は、本実施形態に係るトレイの概略上面図である。図２及び図３は、本実施形態に係るトレイの概略断面図である。図４は、本実施形態に係るトレイと、トレイに収容された面状光源と、を含む梱包体１を示す概略上面図である。
【００１１】
図４に示す梱包体１は、面状光源１０と、面状光源１０を収容するトレイ１００と、を備えている。
【００１２】
トレイ１００は、面状光源１０を収容して、保管、運搬し易くするための部材である。トレイ１００は、図１に示すように、上面視において外形が略矩形であって、面状光源１０を収容可能な凹状の収容部１１０を備える。収容部１１０は、第１方向と、第２方向に広がる底面を有している。第１方向は、第２方向と直交している。トレイ１００は、複数の収容部１１０を有し得る。
【００１３】
トレイ１００に収容される面状光源１０は、可撓性を有する配線基板５０と、配線基板５０上に固定された複数の発光モジュール３０と、を備えている。
【００１４】
面状光源１０は、上面視において、第１方向に長い長方形状の発光モジュール部１１と、発光モジュール部１１の一方の外縁から突出し、外部電源（図示せず）と接続する中継端子１２と、を有する。発光モジュール部１１には、複数の発光モジュール３０が配置される。図５に示すように、複数の発光モジュール３０は、第１発光モジュール３１と第２発光モジュール３２とを含む。第１発光モジュール３１と第２発光モジュール３２は、第１方向に互いに隣接して配置されている。第１発光モジュール３１は、第１方向において第１発光モジュール３１の中心部を挟む第１Ａ領域３１Ａと第１Ｂ領域３１Ｂを有している。第２発光モジュール３２は、第１方向において第２発光モジュール３２の中心部を挟む第２Ａ領域３２Ａと第２Ｂ領域３２Ｂを有している。
【００１５】
トレイ１００の収容部１１０は、面状光源１０の発光モジュール部１１と中継端子１２のそれぞれに対応する発光モジュール収容部１１１と、端子収容部１１２とを有する。トレイ１００の発光モジュール収容部１１１の底面１２１は、第１底面１２１Ａと第２底面１２１Ｂとを有する。第１方向において、第２底面１２１Ｂは、第１底面１２１Ａを挟む位置に配置されている。第１底面１２１Ａは、面状光源１０の第１発光モジュール３１が配置される部分であって、第１発光モジュールの第１Ａ領域３１Ａと第１Ｂ領域３１Ｂの下方に位置する配線基板５０の下面と対向される部分である。第２底面１２１Ｂは、第１発光モジュール３１と隣り合う第２発光モジュール３２が配置される部分であって、第２発光モジュール３２の第２Ａ領域３２Ａと第２Ｂ領域３２Ｂの下方に位置する配線基板５０の下面と対向される部分である。第２底面１２１Ｂは、第１底面１２１Ａよりも高さが低い。このように第１底面１２１Ａ及び第２底面１２１Ｂを配置することによって、面状光源１０の第１発光モジュール３１と第２発光モジュール３２との間の配線基板５０が下方に撓んで第１発光モジュール３１と第２発光モジュール３２が接触することを防止することができる。
【００１６】
図４に示す面状光源１０においては、特に長手方向である第１方向において上下に撓み易くなる。面状光源１０の運搬時や保管時に、配線基板５０の下面側が凸になるように撓むと、隣り合う発光モジュール３０の側面同士が押し合うことによって発光モジュール３０が破損してしまうことが考えられる。図１に示すトレイ１００は、第１方向において第１底面１２１Ａを挟む位置に配置する第２底面１２１Ｂを、第１底面１２１Ａよりも高さを低くすることによって、面状光源１０の配線基板５０の下面側が凸になるように撓むことを抑制し、面状光源１０の破損を防止することができる。
【００１７】
（トレイ１００）
トレイ１００は、上面に収容部１１０を配置することが可能なものであれば、その外形は特に限定されない。図１に示すトレイ１００は、上面視において矩形の外形を有している。トレイ１００の大きさは、収容する面状光源１０の大きさにもよるが、上面視における第１方向の長さが１００ｍｍ以上１０００ｍｍ以下程度、第２方向の長さが１００ｍｍ以上１２００ｍｍ以下程度とすることができる。また、トレイ１００の高さは、５ｍｍ以上１００ｍｍ以下程度とすることができる。
【００１８】
トレイ１００は、透光性である場合、面状光源１０が収容されていることを容易に確認することができるため好ましいが、これに限定されない。トレイ１００は、例えば、光反射性を有していてもよい。トレイ１００は、可撓性を有することが好ましい。特に、面状光源１０より可撓性が低いことが好ましい。トレイ１００の材料は、例えば樹脂などとする。好適には、ポリカーボネート、ポリスチレン、アクリルニトリル−ブタジエン−スチレン系樹脂（ＡＢＳ樹脂）、ポリ塩化ビニル系樹脂、ポリエチレンテレフタレート、ポリプロピレンなどの熱可塑性樹脂を用いて構成される。
【００１９】
（収容部１１０）
収容部１１０は、図２に示すように、トレイ１００の上面側に開口部１３０を備えている。図８に示すトレイ１００においては、収容部１１０は、第２方向に向かって複数配置されている。収容部１１０の大きさは、その内部に１つの面状光源１０が収容できる大きさに設計される。図１の例では、発光モジュール収容部は上面視において第１方向に長い長方形状に形成されている。図５に示すように、収容部１１０の深さは、面状光源１０を収容部１１０に完全に収容できるよう、収容部１１０の第１底面１２１Ａから開口部１３０までの深さＤが面状光源１０の高さよりも大きい。収容部の側面は、上面に対して垂直な面とすることができる。また、面状光源が取り出し易いように、底面から開口部に向かって幅が広くなるように側面の角度を傾斜させてもよい。
【００２０】
収容部１１０の寸法は、収容する面状光源１０の寸法に応じて設計される。例えば発光モジュール収容部１１１の第１方向の幅を１００ｍｍ以上９００ｍｍ以下、第２方向の幅を２０ｍｍ以上５００ｍｍ以下とすることができる。また、端子収容部１１２の第１方向の幅を２０ｍｍ以上８００ｍｍ以下、第２方向の幅を１０ｍｍ以上１００ｍｍ以下とすることができる。収容部１１０の第１底面１２１Ａから開口部１３０までの深さは、２ｍｍ以上３０ｍｍ以下とすることができる。
【００２１】
図５に示す例は、収容部１１０の底面１２１が第１方向において第１底面１２１Ａ及び第２底面１２１Ｂを含む曲面として設けられている。収容部１１０の底面１２１において、第１底面１２１Ａの高さが他の部分と比べて最も高いことが好ましい。第１方向において、第１底面１２１Ａの両側に配置される第２底面１２１Ｂは、外側に向かって高さが低くなる。収容部１１０の底面１２１において、第２底面１２１Ｂの外側には、第２底面１２１Ｂよりも高さが高い底面やトレイ１００の上面または最下面１００ａと平行な面が存在しないことが好ましい。収容部１１０の底面１２１の全体を、第１底面１２１Ａから第１方向の外側に向かって高さが低くなる曲面として設けることができる。図５に示す例では、第１方向において、第１底面１２１Ａは、底面１２１の中央に配置されている。第１底面１２１Ａを配置する位置は、第１方向において、両側に第２底面１２１Ｂを配置することができる位置であれば、特に限定されない。第１底面１２１Ａは、第１方向の幅が、第１発光モジュールの第１Ａ領域３１Ａ（第１Ｂ領域３１Ｂ）の幅よりも広いことが好ましい。図５に示す例では、第１底面１２１Ａの上に１つの第１発光モジュール３１が配置されているが、これに限定されない。第１底面１２１Ａの上に複数の第１発光モジュール３１が配置されていてもよい。この場合、複数の第１発光モジュール３１を同じ高さで設けることができる。
第１方向における底面の曲率半径は、１００００ｍｍ以上２００００ｍｍ以下とすることができる。また、収容部１１０の底面は、第２方向においても上述した第１底面１２１Ａ及び第２底面１２１Ｂを配置することができる。この場合、第１方向における曲率が第２方向における曲率よりも大きいことが好ましい。
【００２２】
図６Ａに示す例においては、第１底面１２１Ａは、第２方向における収容部１１０の底面の一部であって、発光モジュール収容部１１１の略中央に設けている。この例においては、第２方向において、第１底面１２１Ａ及び第２底面１２１Ｂが配列されている。第１底面１２１Ａは、平面視における第２方向の幅が、第１発光モジュールの幅よりも広いことが好ましい。また、第１底面１２１Ａは、平面視における第２方向の幅を面状光源の幅よりも広く設けてもよい。図６Ｂに示すように、第１底面１２１Ａを第２方向における収容部１１０の底面の全体に設けてもよい。
【００２３】
図７に示す例においては、第１底面１２１Ａ及び第２底面１２１Ｂが、高さが異なる複数の平坦な面として設けられている。図７に示すように、第１底面１２１Ａと第２底面１２１Ｂは第１方向及び第２方向と垂直な方向において離隔するように配置することができる。
【００２４】
（凹部）
収容部１１０の底面は、凹部１４０を有することができる。面状光源１０を収容した状態において、面状光源１０は、収容部１１０の底面１２１に接触し、凹部１４０の底面１４０ａには接触しない。ここで、上述した第２底面１２１Ｂは面状光源１０が載置される面であるのに対して、この凹部１４０の底面１４０ａは、面状光源１０が載置されない面であって、本発明における第２底面１２１Ｂには含まれない。凹部１４０の底面１４０ａの反対側に位置するトレイ１００の下面は、トレイ１００の最下面１００Ａを構成している。このような凹部１４０を設けることで、面状光源１０が配置される収容部１１０の底面１２１をトレイ１００の最下面１００Ａから離隔することができるため、面状光源１０に外部から加わる衝撃を低減することができる。また、例えば、トレイ１００の縁部に下方に延びる延伸部を設け、その延伸部によってトレイ１００の最下面を構成してもよい。この場合、上述した凹部１４０を省略することができる。
【００２５】
図１に示す例においては、凹部１４０の開口形状は、矩形である。ただし、凹部１４０の開口形状は、多角形や円形であってもよい。図１に示す例においては、凹部１４０が第１方向及び第２方向に複数設けられている。複数の凹部１４０は、収容部１１０の底面において等間隔に設けられている。第１方向における凹部１４０の開口幅は、例えば、１０ｍｍ以上２００ｍｍ以下とすることができる。第２方向における凹部１４０の開口幅は、第１底面１２１Ａの幅よりも狭いことが好ましい。また、発光モジュール３０の幅よりも狭いことが好ましい。また、第２方向における凹部１４０の開口幅は、例えば、１０ｍｍ以上３０ｍｍ以下とすることができる。また、第２凹部１４０同士の間隔は、第１発光モジュール３１の第１Ａ領域３１Ａ（第１Ｂ領域３１Ｂ）及び第２発光モジュール３２の第２Ａ領域３２Ａ（第２Ｂ領域３２Ｂ）のそれぞれの幅より広いことが好ましい。
【００２６】
図８に示す例においては、トレイ１００は、第２方向に２つの収容部（第１収容部１１０Ａと第２収容部１１０Ｂ）が配置されている。この例においては、２つの収容部の端子収容部１１２同士が繋がっている。発光モジュール収容部１１１の第２方向における略中央に配置される凹部１４０ｃは、発光モジュール収容部１１１の第２方向の中心線Ｘから第２方向にずれるように配置されている。図９は、図８に示すトレイを２枚重ねた状態を示している。凹部１４０は、２枚のトレイ１００を互いに１８０度回転させて重ねた場合に、上側のトレイ１００の凹部１４１と下側のトレイ１００の凹部１４２がずれるようになる。このようにすることで、トレイ１００が面状光源１０の上面及び下面に加える圧力が偏ることを防止することができる。
【００２７】
（張り出し部１５０）
図１に示すように、収容部１１０の側面に、収容部１１０の幅が部分的に幅広となるように上面視において凹状に設けられる張り出し部１５０を形成することができる。面状光源１０の収容部１１０への収容や収容部１１０からの取り出しを容易にし易いように、面状光源１０の保持位置として形成している。面状光源１０を収容する際に、張り出し部１５０から空気を逃がすことができるため、面状光源１０を容易に収容することが可能となる。
【００２８】
張り出し部１５０は、上面視において第１方向に長い長方形状の発光モジュール収容部１１１に対して、第２方向の辺に設けられている。第１方向に長い面状光源１０は、第１方向に撓み易くなるため、第２方向の辺に張り出し部１５０を設けることで、面状光源１０のトレイ１００からの取り出しが容易になる。
【００２９】
張り出し部１５０の形状は、上面視において長方形状に設けられている。張り出し部１５０の形状は、これに限らず、円弧状、台形状等とすることができる。図８に示す例においては、張り出し部１５０は、第１収容部及び第２収容部１１０Ｂの第２方向の辺に一つずつ設けている。張り出し部１５０は、収容部１１０の長さ方向に沿って複数形成することができる。
【００３０】
図８に示すトレイ１００においては、第２収容部１１０Ｂが第１収容部に対して１８０度回転した向きに設けられている。このようにすることで、トレイ１００を１８０度回転させても２つの収容部の向きが同じであるため好ましい。
【００３１】
図１０に示すトレイ１００においては、第１収容部１１０Ａと第２収容部１１０Ｂが第２方向に同じ向きに並ぶように配置されている。このようにすることで、第１収容部１１０Ａ及び第２収容部１１０Ｂのそれぞれに収容された面状光源をトレイ１００から同じ向きに取り出すことができるため好ましい。
【００３２】
（面状光源１０）
【００３３】
次に、面状光源１０について説明する。
【００３４】
図１１に示すように、面状光源１０においては、配線基板５０と、配線基板５０の上に配置される複数の発光モジュール３０を備えている。一例では、発光モジュールは１２８個設けられており、図４に示すように、第１方向に１６個、第２方向に８個配列されている。
【００３５】
図１２は、本実施形態における発光モジュール３０を示す平面図である。図１３は、図１２に示すＸＩＩＩ−ＸＩＩＩ線による断面図である。
【００３６】
図１２及び図１３に示すように、各発光モジュール３０においては、複数の発光領域Ｒが設定されている。一例では、各発光モジュール３０においては１６の発光領域Ｒが設定されており、第１方向に４つ、第２方向に４つ配列されている。
【００３７】
各発光モジュール３０は１つの導光板２１を備えており、各発光領域Ｒは１つの光源を有している。したがって、図１２及び図１３に示す例では、１つの発光モジュール３０に１つの導光板２１と１６個の光源２２を備えている。隣接する光源２２の中心間の距離Ｄは、１ｍｍ以上１０ｍｍ以下とすることが好ましく、例えば、６ｍｍである。
【００３８】
発光モジュール３０においては、導光板２１の下面２１ａには、凹部２１ｃを備え、凹部２１ｃに光源２２が配置されている。凹部２１ｃの側壁と、光源２２の側面との間には、第１透光性部材２３が配置されている。この第１透光性部材２３によって、光源２２は導光板２１に固定されている。
【００３９】
さらに、発光モジュール３０は、導光板２１の下面側における光源２２の周辺に第１光反射性部材２４が設けられている。第１光反射性部材２４は、第１透光性部材２３の下方、および光源２２の側面に設けられている。光源２２及び第１光反射性部材２４の下面に配線層２５が設けられている。配線層２５は所定の形状にパターニングされている。第１光反射性部材２４の上面には、発光領域Ｒ毎に湾曲した凹面を有している。光源２２は配線層２５に接続されている。また、第１光反射性部材２４の上面のうち、隣り合う発光領域Ｒの境界に相当する部分に、稜線を有している。
【００４０】
また、導光板２１の上面２１ｂにおける光源２２の直上域に相当する領域には、凹部２１ｄを備え、凹部２１ｄ内には、光調整部材２６が設けられている。凹部２１ｄの形状は、例えば、円錐台形である。光調整部材２６は例えば光拡散材を含む樹脂材料であり、入射した光の一部を反射し、他の一部を透過させる。
【００４１】
発光モジュール３０において、導光板２１は単層で形成することができるが、複数の層として形成してもよい。また、導光板２１を用いずに、第１光反射部材２４の上に光源２２を配置してもよい。
【００４２】
図１４Ａは、図１２に示す発光モジュール３０を導光板２１の上面２１ｂとは反対の下面側から見たときの外観の一例を示す。なお、図１４Ａでは、わかり易さのために複数の発光領域Ｒの間の境界を点線により示しているが、複数の発光領域Ｒの間に明確な境界が形成されていることは本開示の実施形態において必須ではない。
【００４３】
図１４Ａに例示する構成において、配線層２５は、各発光領域Ｒの光源２２を電気的に接続している。この例では、各光源２２は、平面視において矩形状を有しており、配線層２５のうち各光源２２の正極および負極に接続する一対の部分は、光源２２の矩形状の対角方向に延伸するように形成されている。この例では、それぞれが、４行４列に配置された光源２２のうちの２つの直列接続を含む８つの直列回路を並列に接続している。複数の光源の電気的接続は、この例に限定されず、例えば、発光モジュール３０中の複数の光源２２を２以上のグループに分け、これらのグループの単位で駆動するように回路を構成してもよい。
【００４４】
図１４Ｂは、発光モジュール３０Ｂを導光板の上面とは反対側から見たときの外観の他の例を模式的に示す。図１４Ｂに示す発光モジュール３０Ｂは、上述の発光モジュール３０と同様に、４行４列に配列された、合計１６個の光源を含んでいる。この例では、１６個の光源が４つのグループに分けられている。各グループは、２行２列に配列された４個の光源を含む。配線層２５は、ここでは、発光モジュール３０Ｂに含まれる光源がこれらのグループの単位で駆動するような回路を構成する。図１４Ｂに示す例では、４個の光源を含むグループごとに正極２５１および負極２５２の組が配置されている。ここでは、正極２５１および負極２５２は、それぞれが４個の発光素子を含む直列回路を挟むように形成されている。
【００４５】
図１４Ｃは、配線層２５の表面に絶縁層を形成した例を模式的に示す。図１４Ｃに例示するように、配線層２５の表面に絶縁層２７を配置することにより、絶縁層２７によって水分、埃等から配線層２５を保護することができる。図１４Ｃに例示する構成において、絶縁層２７は、導光板２１側の第１層２７ａと、第１層２７ａの表面に配置される第２層２７ｂとを含む２層構造を有している。絶縁層２７の第１層２７ａは、配線層２５の正極２５１および負極２５２に重なる位置に開口２７ａ５を有する。また、絶縁層２７の第２層２７ｂも、配線層２５の正極２５１および負極２５２に重なる位置に開口２７ｂ５を有している。第２層２７ｂは、さらに、各光源２２と重なる位置に開口２７ｂ２を有する。
【００４６】
絶縁層２７は、図１４Ｃに示すように２層であってもよいが、単層であってもよい。ま
た、絶縁層２７は、無色でもよいし、有色（例えば、青色）でもよい。なお、図１４Ａに
示す例においても、配線層２５上に絶縁層２７を配置してもよい。この場合もやはり絶縁層２７は、２層であってもよいし、単層であってもよい。
【００４７】
配線基板５０は、面状光源１０の下面側、すなわち、導光板２１の上面２１ｂとは反対側に位置し、発光モジュール３０の配線層２５に接続される。図１１に例示する構成において、配線基板５０は、絶縁基材５１と、絶縁基材５１上の配線層５２と、被覆層５３と、複数のビア５４と、保護部材５５とを有する。配線層５２は、絶縁基材５１の主面のうち、発光モジュール３０とは反対側の主面上に位置する。被覆層５３は、所定の厚さで配線層５２の少なくとも一部を覆っており、配線層５２を保護する機能を有する。
【００４８】
図１５は本実施形態における光源２２の一例を示す概略断面図である。図１５に示すように、光源２２は、発光素子４１、第２光反射性部材４５、及び、第３透光性部材４６を備えている。発光素子４１は、半導体構造体４２、一対の電極４３を有している。発光素子４１は、第２光反射性部材４５内に配置されている。第３透光性部材４６は第２光反射性部材４５上に配置されている。
【００４９】
半導体構造体４２においては、ｐ型層、発光層、及び、ｎ型層が積層されている。一対の電極４３は、半導体構造体４２の下面に配置されており、半導体構造体４２のｐ型層及びｎ型層にそれぞれ接続されている。一対の電極４３は、第２光反射性部材４５の下面から露出している。一対の電極４３が配線基板５０の配線層５２に接続されている。第２光反射性部材４５は、第３透光性部材４６の下面に接すると共に、半導体構造体４２の側面を覆っている。
【００５０】
第３透光性部材４６は蛍光体を含有し得る。この場合、第３透光性部材４６は、入射した光を他の波長の光に変換する光変換部材として機能する。なお、第３透光性部材４６は蛍光体を含有していなくてもよい。この場合は、面状光源１０の上方に、蛍光体シートを設けることができる。
【００５１】
図１６は、面状光源２１０の他の例を示す断面図である。
【００５２】
面状光源２１０においては、配線基板５０上に第１光反射性部材２４が設けられており、その上に導光板２１が設けられている。導光板２１は上面２１ｂ及び下面２１ａを有する。導光板の上面２１ｂ及び下面２１ａは、例えば、平坦である。導光板２１の下面２１ａは第１光反射性部材２４に接している。配線基板５０の下面には配線層５２が設けられている。配線層５２は所定の形状にパターニングされている。
【００５３】
導光板２１には、上面２１ｂから下面２１ａに貫通した貫通孔２１ｅが形成されている。貫通孔２１ｅの開口形状は、例えば円形状である。ただし、貫通孔２１ｅの開口形状は、四角形、八角形等の多角形状であってもよい。貫通孔２１ｅ内には、光源２２が設けられている。光源２２の直下に、第１光反射性部材２４及び配線基板５０を上面から下面に貫通したビアホール５０ｅが設けられ、ビアホール５０ｅ内に導電性材料が充填されている。光源２２はビアホール５０ｅ内に配置された導電性材料によって配線層５２に接続されている。貫通孔２１ｅ内には、光源２２を覆うように、第１透光性部材２３が設けられている。第１透光性部材２３上には、光調整部材２６が設けられている。光調整部材２６は例えば光拡散材を含む樹脂材料であり、入射した光の一部を乱反射し、他の一部を透過させる。光調整部材２６の平面視における形状は、例えば、円形である。導光板２１の上面２１ｂにおける発光領域Ｒの境界に相当する領域には、溝が形成され得る。これにより、隣り合う発光領域Ｒ同士を光学的に区画することができる。本実施形態における上記以外の構成及び効果は、第１の実施形態と同様である。
【符号の説明】
【００５４】
１  梱包体
１０、２１０  面状光源
２１  導光板
２２  光源
２３  第１透光性部材
２４  第１光反射性部材
２５  配線層
２６  光調整部材
３０  発光モジュール
４１  発光素子
４２  半導体構造体
４３  電極
４５  第２光反射性部材
４６  第３透光性部材
５０  配線基板
５１  絶縁基材
５２  配線層
５３  被覆層
５４  ビア
５５  保護部材
１００  トレイ
１１０  収容部
１１１  発光モジュール収容部
１１２  端子収容部
１２１Ａ  第１底面
１２１Ｂ  第２底面
１３０  開口部
１４０  凹部
１５０  張り出し部
【要約】      （修正有）【課題】面状光源の反りを抑えて収容可能なトレイ及び梱包体を提供する。【解決手段】面状光源を収容可能な収容部１１０を備えるトレイ１００であって、面状光源は、第１、第２発光モジュールとを含む複数の発光モジュールとを備え、第１発光モジュールは、第１方向において第１発光モジュールの中心部を挟む第１Ａ領域と第１Ｂ領域を有し、第２発光モジュールは、第１方向において第２発光モジュールの中心部を挟む第２Ａ領域と第２Ｂ領域を有し、第１方向において、収容部の底面は、第１底面と、第１底面よりも高さが低い第２底面とを有し、第１底面は、第１発光モジュールが配置される部分であって、第１Ａ領域と第１Ｂ領域の下方に位置する基板の下面と対向される部分であり、第２底面は、第１発光モジュールと隣り合う第２発光モジュールが配置される部分であって、第２Ａ領域と第２Ｂ領域の下方に位置する基板の下面と対向される部分であるトレイ。【選択図】図１【図１】
0006978710.tif 000002
【図２】
0006978710.tif 000003
【図３】
0006978710.tif 000004
【図４】
0006978710.tif 000005
【図５】
0006978710.tif 000006
【図６Ａ】
0006978710.tif 000007
【図６Ｂ】
0006978710.tif 000008
【図７】
0006978710.tif 000009
【図８】
0006978710.tif 000010
【図９】
0006978710.tif 000011
【図１０】
0006978710.tif 000012
【図１１】
0006978710.tif 000013
【図１２】
0006978710.tif 000014
【図１３】
0006978710.tif 000015
【図１４Ａ】
0006978710.tif 000016
【図１４Ｂ】
0006978710.tif 000017
【図１４Ｃ】
0006978710.tif 000018
【図１５】
0006978710.tif 000019
【図１６】
0006978710.tif 000020